(57)【特許請求の範囲】
【請求項１】
基地局が、ユーザ端末の肯定応答/否定応答（Ａｃｋｎｏｗｌｅｄｇｅ/Ｎｅｇａｔｉｖｅ  Ａｃｋｎｏｗｌｅｄｇｅ、ＡＣＫ/ＮＡＣＫ）フィードバックのためのアップリンク制御チャンネル資源を確定するステップと、
基地局が、配置シグナリングをユーザ端末へ送信するステップとを備え、
前記配置シグナリングが、ユーザ端末のＡＣＫ/ＮＡＣＫフィードバックのためのアップリンク制御チャンネル資源情報を有し、
前記アップリンク制御チャンネル資源が、アップリンク制御チャンネル資源集合から選定されたチャンネル資源および/またはフィードバック待機ダウンリンク制御チャンネルに占用された制御チャンネル要素（Ｃｏｎｔｒｏｌ  Ｃｈａｎｎｅｌ  Ｅｌｅｍｅｎｔ、ＣＣＥ）に対応するアップリンク制御チャンネル資源を有し、
前記アップリンク制御チャンネル資源集合が、１つまたは複数のＡＣＫ/ＮＡＣＫフィードバックのためのチャンネル資源元素を有していることを特徴とするアップリンク制御チャンネル資源配置方法。
【請求項２】
前記配置シグナリングを前記ユーザ端末へ送信するステップが、フィードバック待機ダウンリンク制御チャンネルに占用されたＣＣＥに対応するアップリンク制御チャンネル資源の数に基づき、基地局が、利用可能な資源の識別子をダウンリンク制御チャンネルに設置するステップを含んでいることを特徴とする請求項１に記載の方法。
【請求項３】
送信ダイバーシティのＡＣＫ/ＮＡＣＫフィードバックを行うアップリンク・サブフレームにおいて、フィードバック待機ダウンリンク制御チャンネルに占用されたＣＣＥに対応するアップリンク制御チャンネル資源の数が送信ダイバーシティに利用されるアンテナポートの数以上であることを基地局が確定した場合、前記利用可能な資源の識別子が、ダウンリンク制御チャンネルに占用されたＣＣＥに対応するアップリンク制御チャンネル資源を利用することを標識し、
前記ダウンリンク制御チャンネルは、ユーザ端末が送信ダイバーシティのＡＣＫ/ＮＡＣＫフィードバックを行う際に前記アンテナポートに利用されることを特徴とする請求項２に記載の方法。
【請求項４】
前記アップリンク制御チャンネル資源集合に少なくとも２つの資源元素が含まれる場合であって、送信ダイバーシティのＡＣＫ/ＮＡＣＫフィードバックを行うアップリンク・サブフレームにおいて、フィードバック待機ダウンリンク制御チャンネルに占用されたＣＣＥに対応するアップリンク制御チャンネル資源の数が送信ダイバーシティのためのアンテナポートの数より小さいことを基地局が確定した場合、前記利用可能な資源の識別子が、アップリンク制御チャンネル資源と資源元素のチャンネル資源番号とを標識し、
前記アップリンク制御チャンネル資源は、前記複数のアンテナポートが送信ダイバーシティのＡＣＫ/ＮＡＣＫフィードバックを行う場合に、フィードバック待機ダウンリンク制御チャンネルに占用されたＣＣＥに対応し、
前記資源元素のチャンネル資源番号は、前記複数のアンテナポートが送信ダイバーシティのＡＣＫ/ＮＡＣＫフィードバックを行う場合に、前記アップリンク制御チャンネル資源集合に含まれ、さらに、既設されたＭ個のアンテナポートに利用され、Ｍは１より大きくアンテナポートの数より小さい整数であることを特徴とする請求項２に記載の方法。
【請求項５】
前記アップリンク制御チャンネル資源集合に１つの資源元素が含まれる場合であって、送信ダイバーシティのＡＣＫ/ＮＡＣＫフィードバックを行うアップリンク・サブフレームにおいて、フィードバック待機ダウンリンク制御チャンネルに占用されたＣＣＥに対応するアップリンク制御チャンネル資源の数が送信ダイバーシティに利用されるアンテナポートの数より小さいことを、基地局が確定した場合、基地局からユーザ端末へ送信された配置シグナリングには、利用可能な資源の識別子が含まれ、前記利用可能な資源の識別子は、アップリンク制御チャンネル資源、および、１つの資源元素情報を標識し、
前記アップリンク制御チャンネル資源は、前記複数のアンテナポートが送信ダイバーシティのＡＣＫ/ＮＡＣＫフィードバックを行う場合に、フィードバック待機ダウンリンク制御チャンネルに占用されたＣＣＥに対応し、
前記１つの資源元素情報は、前記複数のアンテナポートが送信ダイバーシティのＡＣＫ/ＮＡＣＫフィードバックを行う場合に、前記アップリンク制御チャンネル資源集合に唯一に含まれていることを特徴とする請求項２に記載の方法。
【請求項６】
複数のユーザ端末が、アップリンク制御チャンネル資源集合における資源元素を共有し、
基地局が、同一のチャンネル資源を利用するユーザ端末が分散フィードバックするようにスケジューリングすることを特徴とする請求項１乃至５のいずれか１項に記載の方法。
【請求項７】
前記フィードバック待機ダウンリンク制御チャンネルに占用されたＣＣＥが、前記ユーザ端末の物理ダウンリンク共有チャンネル（Ｐｈｙｓｉｃａｌ  Ｄｏｗｎｌｉｎｋ  Ｓｈａｒｅ  Ｃｈａｎｎｅｌ、ＰＤＳＣＨ）をスケジューリングする物理ダウンリンク制御チャンネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）におけるＣＣＥおよび/または前記ユーザ端末の物理アップリンク共有チャンネル（Ｐｈｙｓｉｃａｌ  Ｕｐｌｉｎｋ  Ｓｈａｒｅ  Ｃｈａｎｎｅｌ、ＰＵＳＣＨ）をスケジューリングするＰＤＣＣＨにおけるＣＣＥおよび/またはＳＰＳ資源を解放するＰＤＣＣＨにおけるＣＣＥを含んでいることを特徴とする請求項１乃至５のいずれか１項に記載の方法。
【請求項８】
前記アップリンク制御チャンネル資源集合が、基地局により配置されてユーザ端末に送信されることを特徴とする請求項１乃至５のいずれか１項に記載の方法。
【請求項９】
前記アップリンク制御チャンネル資源集合にＮ個の資源元素が含まれ、前記ユーザ端末のＡＣＫ/ＮＡＣＫフィードバックのためのＮ個のチャンネル資源または資源グループに対応し、かつ、各資源元素に応じて対応するチャンネル資源番号を設定し、Ｎが１以上の整数である場合、物理ダウンリンク制御チャンネルに利用可能な資源の識別子を追加するステップが、
全ての前記物理ダウンリンク制御チャンネルに載せられたＤＣＩフォーマットに[ｌｏｇ２（Ｎ＋１）]ビットのシグナリングを新しく追加するステップを含み、
前記シグナリングに含まれるＮ＋１個の状態において、Ｎ個の状態が、前記アップリンク制御チャンネル資源集合における、前記ユーザ端末のＡＣＫ/ＮＡＣＫフィードバックのための資源元素のチャンネル資源番号を示し、
他の１つの状態は、ユーザ端末が送信ダイバーシティのＡＣＫ/ＮＡＣＫフィードバックを行う場合に、ダウンリンク制御チャンネルに占用されたＣＣＥに対応するアップリンク制御チャンネル資源を利用してＡＣＫ/ＮＡＣＫフィードバックを行うことを示すことを特徴とする請求項３乃至５のいずれか１項に記載の方法。
【請求項１０】
前記アップリンク制御チャンネル資源集合にＮ個の資源元素が含まれ、前記ユーザ端末のＡＣＫ/ＮＡＣＫフィードバックのためのＮ個のチャンネル資源または資源グループに対応し、各資源元素に応じて対応するチャンネル資源番号を設定し、Ｎが１以上の整数である場合、前記物理ダウンリンク制御チャンネルに利用可能な資源の識別子を追加するステップが、[ｌｏｇ２（Ｎ＋１）]ビットのシグナリングとＤＣＩフォーマットにおける他のシグナリングとを合併してコーディングし、物理ダウンリンク制御チャンネルに利用可能な資源の識別子を追加することを実現するステップ、または、ＤＣＩフォーマットにおけるシグナリングを再利用し、前記Ｎ＋１個の状態を示し、物理ダウンリンク制御チャンネルに利用可能な資源の識別子を追加することを実現するステップを含み、
前記Ｎ＋１個の状態において、Ｎ個の状態は、前記アップリンク制御チャンネル資源集合における、前記ユーザ端末のＡＣＫ/ＮＡＣＫフィードバックのための元素のチャンネル資源番号を示し、
他の１つの状態は、前記ユーザ端末が送信ダイバーシティのＡＣＫ/ＮＡＣＫフィードバックを行う場合に、ダウンリンク制御チャンネルに占用されたＣＣＥに対応するアップリンク制御資源を利用し、ＡＣＫ/ＮＡＣＫフィードバックを行うことを示すことを特徴とする請求項３乃至５のいずれか１項に記載の方法。
【請求項１１】
ユーザ端末が基地局から送信された配置シグナリングを受信するステップと、
ユーザ端末が、基地局から送信された配置シグナリングに基づき、対応するチャンネル資源により肯定応答/否定応答（Ａｃｋｎｏｗｌｅｄｇｅ/Ｎｅｇａｔｉｖｅ  Ａｃｋｎｏｗｌｅｄｇｅ、ＡＣＫ/ＮＡＣＫ）フィードバックを行うステップとを備え、
前記配置シグナリングが、基地局が既設されたアップリンク制御チャンネル資源集合に含まれるチャンネル資源元素の状況および／またはフィードバック待機ダウンリンク制御チャンネルに占用されたＣＣＥに対応するアップリンク制御チャンネル資源の数に基づいて確定され、
１つまたは複数のＡＣＫ/ＮＡＣＫフィードバックのためのチャンネル資源元素がアップリンク制御チャンネル資源集合に含まれていることを特徴とするアップリンク制御チャンネル資源配置方法。
【請求項１２】
前記ユーザ端末が基地局から送信された配置シグナリングに基づき、対応するチャンネル資源を利用してＡＣＫ/ＮＡＣＫフィードバックを行うステップが、
前記配置シグナリングに、アップリンク制御チャンネル資源集合に含まれるチャンネル資源元素の利用がなされていない識別子が含まれる場合、ユーザ端末が、フィードバック待機ダウンリンク制御チャンネルに占用されたＣＣＥに対応するアップリンク制御チャンネル資源を利用して送信ダイバーシティを行うステップを含んでいることを特徴とする請求項１１に記載の方法。
【請求項１３】
前記ユーザ端末が基地局から送信された配置シグナリングに基づき、対応するチャンネル資源を利用してＡＣＫ/ＮＡＣＫフィードバックを行うステップが、
前記配置シグナリングに、フィードバック待機ダウンリンク制御チャンネルに占用されたＣＣＥに対応するアップリンク制御チャンネル資源を利用する識別子と、前記アップリンク制御チャンネル資源集合における、既設されたＭ個のアンテナポートに利用される、資源元素のチャンネル資源番号とが含まれる場合、ＵＥにより送信ダイバーシティを行う複数のアンテナポートにおいて、既設されたＭ個のアンテナポートが、前記配置シグナリングのうちチャンネル資源番号に対応するアップリンク制御チャンネル資源集合におけるチャンネル資源をＡＣＫ/ＮＡＣＫフィードバックのためのフィードバックチャンネルとして利用し、他の残りのアンテナポートが、前記フィードバック待機ダウンリンク制御チャンネルに占用されたＣＣＥに対応するアップリンク制御資源をＡＣＫ/ＮＡＣＫフィードバックのためのフィードバックチャンネルとして利用するステップを含んでいることを特徴とする請求項１１に記載の方法。
【請求項１４】
前記ユーザ端末が基地局から送信された配置シグナリングに基づき、対応するチャンネル資源を利用してＡＣＫ/ＮＡＣＫフィードバックを行うステップが、
前記配置シグナリングに１つの資源元素情報が含まれる場合、ＵＥにより送信ダイバーシティを行う複数のアンテナポートにおいて、既設されたアンテナポートが、前記配置シグナリングのうちチャンネル資源番号に対応するアップリンク制御チャンネル資源集合におけるチャンネル資源をＡＣＫ/ＮＡＣＫフィードバックのためのフィードバックチャンネルとして利用し、他の残りのアンテナポートが、前記フィードバック待機ダウンリンク制御チャンネルに占用されたＣＣＥに対応するアップリンク制御資源をＡＣＫ/ＮＡＣＫフィードバックのためのフィードバックチャンネルとして利用するステップを含んでいることを特徴とする請求項１１に記載の方法。
【請求項１５】
前記アップリンク制御チャンネル資源集合が、基地局により配置されているとともにユーザ端末に送信されることを特徴とする請求項１１乃至１４のいずれか１項に記載の方法。
【請求項１６】
前記フィードバック待機ダウンリンク制御チャンネルに占用された制御チャンネル要素（Ｃｏｎｔｒｏｌ  Ｃｈａｎｎｅｌ  Ｅｌｅｍｅｎｔ、ＣＣＥ）が、前記ユーザ端末の物理ダウンリンク共有チャンネルをスケジューリングする物理ダウンリンク制御チャンネルにおけるＣＣＥおよび/または前記ユーザ端末の物理アップリンク共有チャンネルＰＵＳＣＨをスケジューリングするＰＤＣＣＨにおけるＣＣＥおよび/またはＳＰＳ資源を解放するＰＤＣＣＨにおけるＣＣＥを含んでいることを特徴とする請求項１１乃至１４のいずれか１項に記載の方法。
【請求項１７】
ユーザ端末の肯定応答/否定応答（Ａｃｋｎｏｗｌｅｄｇｅ/Ｎｅｇａｔｉｖｅ  Ａｃｋｎｏｗｌｅｄｇｅ、ＡＣＫ/ＮＡＣＫ）フィードバックのためのアップリンク制御チャンネル資源を確定する割当モジュールと、
ユーザ端末のＡＣＫ/ＮＡＣＫフィードバックのためのアップリンク制御チャンネル資源を含む配置シグナリングをユーザ端末へ送信する送信モジュールとを備え、
前記アップリンク制御チャンネル資源が、アップリンク制御チャンネル資源集合のうちチャンネル資源および／またはフィードバック待機ダウンリンク制御チャンネルに占用された制御チャンネル要素（Ｃｏｎｔｒｏｌ  Ｃｈａｎｎｅｌ  Ｅｌｅｍｅｎｔ、ＣＣＥ）に対応するアップリンク制御チャンネル資源を含み、１つまたは複数のＡＣＫ／ＮＡＣＫフィードバックのためのチャンネル資源元素がアップリンク制御チャンネル資源集合に含まれていることを特徴とするアップリンク制御チャンネル資源配置装置。
【請求項１８】
基地局から送信された配置シグナリングを受信する読取モジュールと、
基地局から送信された配置シグナリングに基づき、対応するチャンネル資源により肯定応答／否定応答（Ａｃｋｎｏｗｌｅｄｇｅ／Ｎｅｇａｔｉｖｅ  Ａｃｋｎｏｗｌｅｄｇｅ、ＡＣＫ／ＮＡＣＫ）フィードバックを行うフィードバックチャンネル確定モジュールとを備え、
前記配置シグナリングが、既設されたアップリンク制御チャンネル資源集合に含まれるチャンネル資源元素の状況および／またはフィードバック待機ダウンリンク制御チャンネルに占用された制御チャンネル要素（Ｃｏｎｔｒｏｌ  Ｃｈａｎｎｅｌ  Ｅｌｅｍｅｎｔ、ＣＣＥ）に対応するアップリンク制御チャンネル資源の数に基づいて基地局によって確定され、１つまたは複数のＡＣＫ／ＮＡＣＫフィードバックのためのチャンネル資源元素がアップリンク制御チャンネル資源集合に含まれていることを特徴とするアップリンク制御チャンネル資源配置装置。
【発明の詳細な説明】
【技術分野】
【０００１】
本発明は、無線通信技術に関し、特にアップリンク制御チャンネル資源配置方法および装置に関する。
本出願は、２００９年１１月３日に出願された中国特許出願番号が２００９１０２３７０６９.５、発明の名称が「アップリンク制御チャンネル資源配置方法、装置およびシステム」の優先権を主張し、その開示の総てを本出願に取り込む。
【背景技術】
【０００２】
ロング・ターム・エボリューション・システムは、ＨＡＲＱ（Ｈｙbｒｉｄ  Ａｕｔｏｍａｔｉｃ  Ｒｅｐｅａｔ  ｒｅｑｕｅｓｔ、混合自動再送要求）によりデータ伝送の信頼性を向上する。
ダウンリンクＨＡＲＱ機能が起動した後、ユーザ端末は、受信されたダウンリンクデータパケットをデコードし、デコードが正確であれば、基地局へ肯定応答（Ａｃｋｎｏｗｌｅｄｇｅ、ＡＣＫ）をフィードバックし、デコードに失敗すれば、基地局へ否定応答（Ｎｅｇａｔｉｖｅ  Ａｃｋｎｏｗｌｅｄｇｅ、ＮＡＣＫ）をフィードバックして、基地局に対し当該データパケットを再送するように請求する。
ダウンリンク永続スケジューリング・サービスが終了した後、基地局は、ユーザ端末へＳＰＳ（Ｓｅｍｉ-Ｐｅｒｓｉｓｔｅｎｔ  Ｓｃｈｅｄｕｌｉｎｇ：半静的スケジューリング）資源解放指示を送信し、ユーザ端末に、当該サービスのために割り当てた全部の資源を解放するように通知し、ユーザ端末が当該指示を正確に受信してから基地局へＡＣＫをフィードバックする。
ユーザ端末は、アップリンク制御チャンネル資源を利用し、アップリンク制御チャンネルを介して上記ＡＣＫ/ＮＡＣＫフィードバック情報を基地局に送信し、ＨＡＲＱプロセスを完了する。
【０００３】
現在、標準化作業がほぼ完了したロング・ターム・エボリューション・システム（Ｒｅｌ-８）の基本的な伝送方案において、ＦＤＤ（Ｆｒｅｑｕｅｎｃｙ  Ｄｉｖｉｓｉｏｎ  Ｄｕｐｌｅｘｉｎｇ、周波数分割複信）システムとＴＤＤ（Ｔｉｍｅ  Ｄｉｖｉｓｉｏｎ  Ｄｕｐｌｅｘｉｎｇ、時分割複信）システムのマルチキャリア帯域幅の配分を示す図は、それぞれ図１と図２に示すように、各キャリア毎に、ダウンリンク制御シグナリング領域と、ダウンリンクデータ領域と、アップリンク制御シグナリング領域と、アップリンクデータ領域、およびそれらの間の伝送関係を定義している。
そのうち、アップリンク制御シグナリングは周波数帯域の両端を占用し、周波数ホッピング方式で伝送され、即ち、１つのサブフレーム内の２つのタイムスロットにおいて、アップリンク制御シグナリングは異なる周波数帯域を占用して伝送される。
【０００４】
動的にスケジューリングしたダウンリンクデータパケットの場合、そのＡＣＫ/ＮＡＣＫフィードバック情報に用いられるアップリンク制御チャンネル資源番号は、当該データパケットスケジューリング情報を載せるＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャンネル）に占用されたＣＣＥ（Ｃｏｎｔｒｏｌ  Ｃｈａｎｎｅｌ  Ｅｌｅｍｅｎｔ、制御チャンネル要素）番号によるものであり、即ち１つのＣＣＥ番号によって唯一のアップリンクチャンネル資源番号を獲得することができる。
ＬＥＴ  Ｒｅｌ-８システムにおいて、アップリンクがシングルキャリア伝送に制限されるため、各サブフレームにおいて、ユーザ端末は多くとも１つのアップリンク制御チャンネルしか伝送できず、よって、実際に利用するアップリンク制御チャンネルは、当該ユーザ端末のダウンリンク制御チャンネルに占用された１番目のＣＣＥに対応するアップリンク制御チャンネルである。
【０００５】
現在、ロング・ターム・エボリューション・システムのアップリンク制御チャンネルに対する研究を行っており、２つまたは２つ以上の送信アンテナポートが配置されたユーザ端末、即ち複数の送信アンテナポート（Ｐｏｒｔ）のユーザ端末がアップリンク制御チャンネルを伝送する場合、ＯＲＴＤ（Ｏｒｔｈｏｇｏｎａｌ  Ｒｅｓｏｕｒｃｅ  ＴｒＡｎｓｍｉｔ  Ｄｉｖｅｒｓｉｔｙ、直交リソース送信ダイバーシティ）の方式で送信ダイバーシティを実現でき、アップリンク制御シグナリング伝送の信頼性または容量を向上させることが提案されている。
ＯＲＴＤとは、各アンテナポート毎に１つのアップリンク制御チャンネル資源を対応し、同一の情報が異なるアンテナポートの資源番号によって選定された直交シーケンスでスペクトル拡散されてから、対応するアンテナポートによって同時に送信される。
受信側は、異なるアンテナポートからの信号を分離して合併検出を行い、これによってダイバーシティゲインを取得する。
図３は、２つのアンテナポートの場合、ＯＲＴＤにより送信ダイバーシティを行う時の原理を示す図である。
ここで、ｓはフィードバックされたＡＣＫ/ＮＡＣＫ情報であり、ｎ１ＰＵＣＣＨとｎ２ＰＵＣＣＨは、それぞれ２つのアンテナポートにおける２つの異なるアップリンク制御チャンネル資源番号を表す。
ＵＥは、この２つのフィードバックチャンネルを介してＡＣＫ/ＮＡＣＫ情報をフィードバックし、ＰＵＣＣＨの送信ダイバーシティを実現する。
【０００６】
ＬＴＥ  Ｒｅｌ-８システムにかかる１つのユーザ端末において、フィードバック待機のダウンリンク・サブフレームには、当該ユーザ端末に対応するＰＤＳＣＨ（Ｐｈｙｓｉｃａｌ  Ｄｏｗｎｌｉｎｋ  Ｓｈａｒｅｄ  ＣｈａｎｎｅＬ、物理ダウンリンク共有チャンネル）をスケジューリングするＰＤＣＣＨ（Ｐｈｙｓｉｃａｌ  Ｄｏｗｎｌｉｎｋ  Ｃｏｎｔｒｏｌ  Ｃｈａｎｎｅｌ）のみではなく、当該ユーザ端末に対応するＰＵＳＣＨ（Ｐｈｙｓｉｃａｌ  Ｕｐ  Ｓｈａｒｅｄ  Ｃｈａｎｎｅｌ、物理アップリンク共有チャンネル）をスケジューリングするＰＤＣＣＨも同時に存在する可能である。
しかしながら、当該ユーザ端末のダイバーシティのＡＣＫ/ＮＡＣＫフィードバックに用いられるアップリンクチャンネル番号は、当該ユーザ端末ＰＤＳＣＨをスケジューリングするＰＤＣＣＨのＣＣＥにより確定されるか、または、ＳＰＳ資源解放を指示するＰＤＣＣＨの１番目のＣＣＥ番号によって確定されるが、当該ユーザ端末ＰＵＳＣＨをスケジューリングするＰＤＣＣＨのＣＣＥは全てが使われた訳ではない。
【０００７】
ＬＴＥを発展させたアドバンスドシステムＬＴＥ-Ａにおいて、複数の送信アンテナポートが配置されたユーザ端末の場合、ＰＵＣＣＨ（Ｐｈｙｓｉｃａｌ  Ｕｐ  Ｃｏｎｔｒｏｌ  Ｃｈａｎｎｅｌ、物理アップリンク制御チャンネル）の送信ダイバーシティを対応するために、複数のアンテナポートにそれぞれ１つのアップリンク制御チャンネル資源を割り当てる必要があることにより、フィードバック待機ダウンリンク・サブフレームにおける当該ユーザ端末に対応する制御領域ＣＣＥの数と、ＰＤＣＣＨのＣＣＥアグリゲーション・レベルとのうち、少なくともいずれか一つを制限する必要がある。
しかし、このような制限は、ＰＤＣＣＨスケジューリングの応用性とユーザ端末のＰＤＣＣＨに対するブラインド検出に影響を与える。
【発明の概要】
【発明が解決しようとする課題】
【０００８】
本発明の実施例は、長期発展型アドバンスドシステムにおいて、複数の送信アンテナポートが配置されたユーザ端末に対してＰＵＣＣＨの送信ダイバーシティに対応する場合、ＰＤＣＣＨスケジューリングの柔軟性を向上させ、ユーザ端末がＰＤＣＣＨをブラインドで検出する複雑度を低減させることに用いられるアップリンク制御チャンネル資源配置方法および装置を提供する。
【課題を解決するための手段】
【０００９】
アップリンク制御チャンネル資源配置方法は、基地局が、ユーザ端末の肯定応答/否定応答（Ａｃｋｎｏｗｌｅｄｇｅ/Ｎｅｇａｔｉｖｅ  Ａｃｋｎｏｗｌｅｄｇｅ、ＡＣＫ/ＮＡＣＫ）フィードバックのためのアップリンク制御チャンネル資源を確定するステップとと、基地局が、配置シグナリングをユーザ端末へ送信するステップとを備え、前記配置シグナリングが、ユーザ端末のＡＣＫ/ＮＡＣＫフィードバックのためのアップリンク制御チャンネル資源情報を有し、前記アップリンク制御チャンネル資源が、アップリンク制御チャンネル資源集合から選定されたチャンネル資源および/またはフィードバック待機ダウンリンク制御チャンネルに占用された制御チャンネル要素（Ｃｏｎｔｒｏｌ  Ｃｈａｎｎｅｌ  Ｅｌｅｍｅｎｔ、ＣＣＥ）に対応するアップリンク制御チャンネル資源を有し、アップリンク制御チャンネル資源集合が、１つまたは複数のＡＣＫ/ＮＡＣＫフィードバックのためのチャンネル資源元素を含んでいる。
【００１０】
アップリンク制御チャンネル資源配置方法は、ユーザ端末が基地局から送信された配置シグナリングを受信するステップと、ユーザ端末が、基地局から送信された配置シグナリング基づき、対応するチャンネル資源により肯定応答/否定応答（Ａｃｋｎｏｗｌｅｄｇｅ/Ｎｅｇａｔｉｖｅ  Ａｃｋｎｏｗｌｅｄｇｅ、ＡＣＫ/ＮＡＣＫ）フィードバックを行うステップとを備え、前記配置シグナリングが、基地局が前記既設されたアップリンク制御チャンネル資源集合に含まれるチャンネル資源元素の状況およおよび／またはフィードバック待機ダウンリンク制御チャンネルに占用されたＣＣＥに対応するアップリンク制御チャンネル資源の数に基づいて確定され、アップリンク制御チャンネル資源集合には１つまたは複数のＡＣＫ/ＮＡＣＫフィードバックのためのチャンネル資源元素が含まれている。
【００１１】
アップリンク制御チャンネル資源配置装置は、ユーザ端末の肯定応答/否定応答（Ａｃｋｎｏｗｌｅｄｇｅ/Ｎｅｇａｔｉｖｅ  Ａｃｋｎｏｗｌｅｄｇｅ、ＡＣＫ/ＮＡＣＫ）フィードバックのためのアップリンク制御チャンネル資源を確定する割当モジュールと、ユーザ端末のＡＣＫ/ＮＡＣＫフィードバックのためのアップリンク制御チャンネル資源を含む配置シグナリングをユーザ端末へ送信する送信モジュールとを備え、前記アップリンク制御チャンネル資源が、アップリンク制御チャンネル資源集合のうちチャンネル資源および／またはフィードバック待機ダウンリンク制御チャンネルに占用された制御チャンネル要素（Ｃｏｎｔｒｏｌ  Ｃｈａｎｎｅｌ  Ｅｌｅｍｅｎｔ、ＣＣＥ）に対応するアップリンク制御チャンネル資源を含み、１つまたは複数のＡＣＫ／ＮＡＣＫフィードバックのためのチャンネル資源元素がアップリンク制御チャンネル資源集合に含まれている。
【００１２】
アップリンク制御チャンネル資源配置装置は、基地局から送信された配置シグナリングを受信する読取モジュールと、基地局から送信された配置シグナリングに基づき、対応するチャンネル資源により肯定応答／否定応答（Ａｃｋｎｏｗｌｅｄｇｅ／Ｎｅｇａｔｉｖｅ  Ａｃｋｎｏｗｌｅｄｇｅ、ＡＣＫ／ＮＡＣＫ）フィードバックを行うフィードバックチャンネル確定モジュールとを備え、前記配置シグナリングが、前記既設されたアップリンク制御チャンネル資源集合に含まれるチャンネル資源元素の状況および／またはフィードバック待機ダウンリンク制御チャンネルに占用された制御チャンネル要素（Ｃｏｎｔｒｏｌ  Ｃｈａｎｎｅｌ  Ｅｌｅｍｅｎｔ、ＣＣＥ）に対応するアップリンク制御チャンネル資源の数に基づいて基地局によって確定されたものであり、１つまたは複数のＡＣＫ／ＮＡＣＫフィードバックのためのチャンネル資源元素がアップリンク制御チャンネル資源集合に含まれている。
【発明の効果】
【００１３】
送信ダイバーシティを用いたＰＵＣＣＨ伝送に対して、本発明が提供する技術的方案は、ユーザ端末に対応するダウンリンク制御チャンネル（ＰＤＣＣＨ）のＣＣＥアグレゲーション・レベルに対する制限を解除して、送信ダイバーシティゲインによりシステムの信頼性を向上させるとともに、システムの柔軟性を保証しながら複雑度を低減させし、かつＬＴＥ  Ｒｅｌｅａｓｅ８システムとよい交換性をもつことができる。
【図面の簡単な説明】
【００１４】
【図１】従来技術におけるロング・ターム・エボリューション・マルチキャリアの帯域幅配分を示す図である。
【図２】従来技術におけるロング・ターム・エボリューション・マルチキャリアの帯域幅配分を示す図である。
【図３】従来技術において、２つのアンテナポートの場合、ＯＲＴＤにより送信ダイバーシティを行うことを示す図である。
【図４】本発明の実施例にかかるアップリンク制御チャンネル資源の配置方法のフローチャートである。
【図５】本発明の実施例にかかるフィードバック待機ダウンリンク・サブフレームのＰＤＣＣＨのアグリゲーショ・レベルが２であり、かつ２つのアンテナポートの場合にＯＲＴＤにより送信ダイバーシティを行うことを示す図である。
【図６】本発明の実施例におけるフィードバック待機ダウンリンク・サブフレームのＰＤＣＣＨアグレゲーション・レベルが１であり、かつ２つのアンテナポートの場合にＯＲＴＤにより送信ダイバーシティを行うことを示す図である。
【図７】本発明にかかる実施例が提供する基地局側による実施プロセスのフローチャートである。
【図８】本発明にかかる実施例が提供する端末側による実施プロセスのフローチャートである。
【図９】本発明にかかる実施例が提供するアップリンク制御資源を配置する装置の構成を示す図である。
【図１０】本発明にかかる実施例が提供する他のアップリンク制御チャンネル資源を配置する装置の構成を示す図である。
【発明を実施するための最良の形態】
【００１５】
本発明の実施例に係るアップリンク制御チャンネル資源配置方法および装置において、複数のアンテナポートが配置されたユーザ端末がアップリンク制御チャンネル伝送を行う場合、基地局は、ＡＣＫ/ＮＡＣＫフィードバックのためのチャンネル資源元素を含むアップリンク制御チャンネル資源集合を配置して高位層シグナリングによりユーザ端末に送信する。
上述したチャンネル資源の各チャンネル資源元素は１つのアップリンク制御チャンネル資源であってもよく、１組のアップリンク制御チャンネル資源であってもよい。
前述したチャンネル資源が１組のアップリンク制御チャンネル資源である場合、当該組の資源の数はユーザ端末のアンテナポートの数より少なくしなければならない。
基地局は、上記アップリンク制御チャンネル資源集合に含まれるチャンネル資源元素の状況および/またはフィードバック待機ダウンリンク・サブフレームにおけるダウンリン制御チャンネルに占用されたＣＣＥに対応するアップリンク制御チャンネル資源の数に基づき、ユーザ端末へ配置シグナリングを送信する。
複数のアンテナポートが配置されたユーザ端末は上記配置シグナリングにより、対応するチャンネル資源を利用し、ＡＣＫ/ＮＡＣＫフィードバックを行う。
【００１６】
本発明は、ＬＴＥシステムの交換性を考慮し、動的指示と半静的指示が組み合わせたアップリンク制御チャンネルの資源配置方法を提供する。
【００１７】
送信ダイバーシティを利用するＰＵＣＣＨ伝送において、複数のアンテナポートにそれぞれアップリンク制御チャンネル資源を配置する必要があり、フィードバック待機ダウンリンク・サブフレームにおけるダウンリンク制御チャンネルに当該ユーザ端末ＰＵＳＣＨをスケジューリングするＰＤＣＣＨが含まれるかどうかにより、二つの配置方法に分けられる。
【００１８】
〈実施例１〉
フィードバック待機ダウンリンク・サブフレームの制御チャンネルに当該ユーザ端末のＰＵＳＣＨをスケジューリングするＰＤＣＣＨが含まれず、かつアップリンク制御チャンネル資源集合からユーザ端末へ割当られたアップリンク制御チャンネル資源に少なくとも２つの資源元素が含まれる場合、複数のアンテナポートにアップリンク制御チャンネル資源を配置する方法は、具体的に、図４に示すように、ステップ４０１と、ステップ４０２と、ステップ４０３とを含んでいる。
【００１９】
ステップ４０１において、基地局は、１つのアップリンク制御チャンネル資源集合を半静的に配置し、高位層シグナリングによりユーザ端末に送信する。
【００２０】
上述のアップリンク制御チャンネル資源集合における資源は半静的に配置された資源であり、シグナリングにより当該アップリンク制御チャンネル資源集合における資源の配置指示を送信できる。
【００２１】
当該アップリンク制御チャンネル資源集合に、ＡＣＫ/ＮＡＣＫフィードバックに用いられるＮ個のチャンネル資源または資源グループに対応するＮ個の資源元素があり、さらに、Ｎ個の資源元素に対応してＮ個の資源元素を示すＮ個のチャンネル資源番号を設定でき、Ｎは１以上の整数である。
資源配置を指示する時、資源元素の番号を伝送することにより伝送資源を節約することができる。
当該資源集合におけるチャンネル資源元素が複数のユーザ端末に共有されることもできるため、基地局は、同一のチャンネル資源を利用するユーザ端末が分散フィードバックするようにスケジューリングすることにより、チャンネル資源衝突問題を避ける。
【００２２】
ステップ４０２では、基地局は、上記アップリンク制御チャンネル資源集合に含まれるチャンネル資源元素の利用状況と、フィードバック待機ダウンリンク・サブフレームにおけるダウンリンク制御チャンネルに占用されるＣＣＥに対応するアップリンク制御チャンネル資源の数に基づき、ユーザ端末が利用する、ＡＣＫ/ＮＡＣＫフィードバックためのアップリンク制御チャンネル資源を確定し、ユーザ端末へ配置シグナリングを送信する。
【００２３】
ここで、配置シグナリングを送信する具体的な方法としては、基地局がＰＤＣＣＨに利用可能な資源の識別子を設置する。
上述した識別子は、上述のユーザ端末が前述のアップリンク制御チャンネル資源集合におけるチャンネル資源を利用してＡＣＫ/ＮＡＣＫフィードバックを行うかどうか、および当該チャンネル資源集合におけるチャンネル資源元素の利用状況を標識する。
【００２４】
ここで、上述した利用可能な資源の識別子は、下記に記載された２種類を含んでいる。
【００２５】
〈第１種類の識別子〉
送信ダイバーシティを利用してＡＣＫ/ＮＡＣＫフィードバックを行うアップリンク・サブフレームにおいて、フィードバック待機ダウンリンク・サブフレーム（フィードバック待機ダウンリンク・サブフレームは、基地局が資源配置情報が含まれるシグナリングを送信する際に利用したダウンリンク・サブフレームである）におけるダウンリンク制御チャンネルに占用されたＣＣＥに対応するアップリンク制御チャンネル資源の数が送信ダイバーシティ用のアンテナポートの数以上である（即ち、フィードバック待機ダウンリンク・サブフレームにおいて、当該ユーザ端末ＰＤＳＣＨをスケジューリングするＰＤＣＣＨのＣＣＥ、または、ＳＰＳ資源解放を指示するＰＤＣＣＨのＣＣＥのアグリゲーション・レベルはアンテナポートの数以上である）場合、複数のアンテナポートがＡＣＫ/ＮＡＣＫフィードバックを行うことに用いられるチャンネル資源番号は、当該アグリゲーション・レベルがアンテナポートの数以上であるＰＤＣＣＨのＣＣＥにより得られる。
この際、高位層配置（基地局の配置情報が高位層シグナリングにより端末に指示される場合の配置を指す）がなされたアップリンク制御チャンネル資源集合における如何なる資源元素も必要ではない。
基地局は、ＰＤＣＣＨを介し、高位層配置がなされた集合におけるチャンネル資源元素を利用しないことをユーザ端末に知らせる（即ち、上記利用可能な資源の識別子は、ユーザ端末が送信ダイバーシティのＡＣＫ/ＮＡＣＫフィードバックをする場合に、上記複数のアンテナポートに利用されたダウンリンク制御チャンネルに占用されたＣＣＥに対応するアップリンク制御チャンネル資源を標識する）。
ユーザ端末に２つのアンテナポートがある場合を例にすると、２つのアンテナポートがＡＣＫ/ＮＡＣＫフィードバックをするのに用いられるチャンネル資源番号は、いずれも当該アグレゲーション・レベルが２以上であるＰＤＣＣＨのＣＣＥにより得られる。
【００２６】
〈第２種類の識別子〉
送信ダイバーシティのＡＣＫ/ＮＡＣＫフィードバックを行うアップリンク・サブフレームにおいて、フィードバック待機ダウンリンク・サブフレームにおけるダウンリンク制御チャンネルに占用されたＣＣＥに対応するアップリンク制御チャンネル資源の数が送信ダイバーシティ用のアンテナポートの数より小さく、即ち、フィードバック待機ダウンリンク・サブフレームにおいて当該ユーザ端末ＰＤＳＣＨをスケジューリングするＰＤＣＣＨのＣＣＥまたはＳＰＳ資源解放を指示するＰＤＣＣＨのＣＣＥのアグレゲーション・レベルが送信ダイバーシティ用のアンテナポートの数より小さい場合、高位層配置となったアップリンク制御チャンネル資源集合から幾つかのチャンネル資源元素を選用し、ＰＤＣＣＨを介して、当該資源集合内の利用されているチャンネル資源番号をユーザ端末に知らせて、Ｍ個の既設されたアンテナポートに利用されるようにする。
そして、残りの他のアンテナポートためのフィードバックチャンネルは、当該ＰＤＣＣＨ ＣＣＥに対応するチャンネル資源（即ちＲｅｌ-８方式を再用する）により確定され、Ｍが１以上かつアンテナポートの数より小さいである。
まだユーザ端末に２つのアンテナポートがある場合を例にすると、１番目のアンテナポート用のフィードバックチャンネルは、依然として当該ＰＤＣＣＨ  ＣＣＥに対応するチャンネル資源を利用する（即ちＲｅｌ-８を再利用方式）が、他の１つのアンテナポートに利用されるフィードバックチャンネルは、高位層配置となったアップリンク制御チャンネル資源集合から１つのフィードバックチャンネル資源元素を選定する必要がある。
ユーザ端末に３つのアンテナポートが配置される例の場合、Ｍを１や２とすることができる。
【００２７】
ステップ４０３において、ユーザ端末は、基地局から送信された配置シグナリングを読み取り、フィードバック待機ダウンリンク・サブフレームのＰＤＣＣＨを検出し、ＰＤＣＣＨにおける利用可能な資源の識別子によって、上述のアップリンク制御チャンネル資源集合におけるチャンネル資源を利用してＡＣＫ/ＮＡＣＫフィードバックを行うかどうかを確定する。
【００２８】
また、ステップ４０２において、基地局がＰＤＣＣＨを介して当該資源集合における利用されるチャンネル資源番号をユーザ端末に知らせる方法は、以下で具体的に説明する。
ＰＤＣＣＨには、前記ユーザ端末が複数のアンテナポートにより送信ダイバーシティのＡＣＫ/ＮＡＣＫフィードバックを行う場合、既設されたＭ個のアンテナポート用のアップリンク制御チャンネル資源集合におけるチャンネル資源のチャンネル資源番号を増設し、ここで、Ｍは１より大きい。
【００２９】
上述のＰＤＣＣＨシグナリングにシグナリング識別子を増設する方法としては、全てのＰＤＣＣＨに載せられたＤＣＩフォーマットに[ｌｏｇ２(Ｎ＋１)]ビットのシグナリングを追加することにしてもよいし、上述したＮ＋１個のシグナリングとＲｅｌ-８の従来のＤＣＩフォーマットにおける他のシグナリングとを合併してコーディングしてもよいし、ひいては従来のＤＣＩフォーマットにおけるシグナリングを再利用し前述のＮ＋１個の資源元素のシグナリング状態を示すことにしてもよい。
【００３０】
上述のアップリンク制御資源集合に１以上の整数を表すＮ個の資源元素が含まれている。
当該ＰＤＣＣＨシグナリングの通知方法（即ち、ＰＤＣＣＨに利用可能な資源の識別子を追加する方法）としては、全てのＰＤＣＣＨに載せられたＤＣＩフォーマットに[ｌｏｇ２（Ｎ＋１）]ビットのシグナリングを新しく追加するが、前述したＮ＋１個のシグナリング状態とＲｅｌ-８の従来のＤＣＩフォーマットにおける他のシグナリングを合併してコーティングしてもよいし、ひいては従来のＤＣＩフォーマットにおけるシグナリングを再利用し前述のＮ＋１個の資源元素のシグナリング状態を示してもよい。
【００３１】
ここで、当該Ｎ＋１個のシグナリング状態のうち、Ｎ個の状態は、上記アップリンク制御チャンネル資源集合における上述のユーザ端末がＡＣＫ/ＮＡＣＫフィードバックを行うことに利用可能なチャンネル資源番号を示し、他の１つの状態は、ユーザ端末が、複数のアンテナポートの送信ダイバーシティのＡＣＫ/ＮＡＣＫフィードバックを行う場合に、ダウンリンク制御チャンネルに占用されたＣＣＥに対応するアップリンク制御チャンネル資源を利用しＡＣＫ/ＮＡＣＫフィードバックを行うかどうかを示すことに用いられる。
【００３２】
上述したアップリンク制御チャンネル資源集合に１つのみの資源元素が含まれる場合、当該資源元素が１組の資源であっても、複数のアンテナポートの端末にとして足りないものであるため、ダイバーシティのフィードバックを行う時に、フィードバック待機ダウンリンク・サブフレームにおけるダウンリンク制御チャンネルに占用されるＣＣＥに対応するアップリンク制御チャンネル資源を利用しなけれならない。
そのため、基地局は、ＰＤＣＣＨを介して、ユーザ端末がフィードバック待機ダウンリンク・サブフレームにおけるダウンリンク制御チャンネルに占用されるＣＣＥに対応するアップリンク制御チャンネル資源を利用することを個別に指示する必要がない。
ユーザ端末は、１つのみの資源元素を受信しても、フィードバック待機ダウンリンク・サブフレームにおけるダウンリンク制御チャンネルに占用されたＣＣＥに対応するアップリンク制御チャンネル資源を利用することを確定できる。
このような場合、基地局は、フィードバック待機ダウンリンク・サブフレームにおけるダウンリンク制御チャンネルに占用されたＣＣＥに対応するアップリンク制御チャンネル資源が不充分だと判定する場合、アップリンク制御チャンネル資源集合からユーザ端末のために利用可能な資源元素をさらに選択する必要がない。
【００３３】
図５に示すように、２つのアンテナポートにより送信ダイバーシティを行う場合、フィードバック待機ダウンリンク・サブフレームのＰＤＣＣＨアグレゲーション・レベルが２であるため、２つのＣＣＥが存在し、かつ、それぞれ２つのアップリンク制御チャンネル資源ｎ１ｐｕｃｃｈとｎ２ｐｕｃｃｈに対応する。
これは、フィードバック待機ダウンリンク・サブフレームにおけるダウンリンク制御チャンネルに占用されたＣＣＥに対応するアップリンク制御チャンネル資源が２つのアンテナポートにより送信ダイバーシティを行うことに十分であることを示す。
この場合に基地局は、ＰＤＣＣＨを介し、高位層割り当てとなったアップリンク制御チャンネル資源集合における資源をフィードバックチャンネルとして利用しないことをユーザ端末に知らせる。
例えば、全てのＰＤＣＣに載せられたＤＣＩフォーマットに[ｌｏｇ２（Ｎ＋１）]ビットのシグナリングを新しく追加し、Ｎ=７の場合、「０００」で当該ダウンリンクキャリアにおけるＰＤＳＣＨのＡＣＫ/ＮＡＣＫフィードバックには高位層割り当てとなった資源集合における資源を、フィードバック情報を載せるフィードバックチャンネルとして利用しないことをユーザ端末に知らせることができる。
この場合にユーザ端末側は、ＰＤＣＣＨの２つのＣＣＥに対応する制御チャンネル資源ｎ１ｐｕｃｃｈとｎ２ｐｕｃｃｈをＡＣＫ/ＮＡＣＫのフィードバックチャンネルとして用いる。
【００３４】
図６に示すように、２つのアンテナポートにより送信ダイバーシティ伝送を行う場合、フィードバック待機ダウリンク・サブフレームのＰＤＣＣＨのアグレゲーション・レベルルが１であるため、１つのみのＣＣＥが１つのアンテナポート上のチャンネル資源ｎ１ｐｕｃｃｈに対応するが、これはフィードバック待機ダウリンク・サブフレームにおけるダウンリンク制御チャンネルに占用されたＣＣＥに対応するアップリンク制御チャンネル資源が２つのアンテナポートにより送信ダイバーシティを行うこと不十分であることを示す。
この場合に、他の１つのアンテナポートのチャンネル資源は、当該ユーザ端末へ高位層割当がなされたチャンネル資源集合から取得する必要がある。
基地局は、当該集合の全部の元素から１つの資源番号を当該ユーザ端末の他の一つのアンテナポートに割当、例えばｎｘ_１ＰＵＣＣＨを割当、かつＰＤＣＣＨを介し、ｎｘ_１ＰＵＣＣＨを利用することをユーザ端末に知らせる。
例えば、全てのＰＤＣＣＨに載せられたＤＣＩフォーマットに[Ｌｏｇ２（Ｎ＋１）]ビットのシグナリングを新しく追加し、Ｎ=７の場合、「００１」で当該ダウンリンクキャリアにおけるＰＤＳＣＨのＡＣＫ/ＮＡＣＫフィードバックには高位層割当された資源集合における１番目のチャンネル資源を、フィードバック情報を載せるフィードバックチャンネルとして利用することをユーザ端末に知らせることができる。
【００３５】
実施例１に記載の方法によれば、上述のアップリンク制御チャンネル資源集合に１つのみの資源元素が含まれる場合、基地局は、当該唯一の資源元素情報（番号ではない）をユーザ端末に送信でき、ＰＤＣＣＨを介し、ユーザ端末がフィードバック待機ダウンリンク・サブフレームにおけるダウリンク制御チャンネルに占用されたＣＣＥに対応するアップリンク制御チャンネル資源を利用できることを、さらに個別に指示しなくてもよい。
当該方法に対応するステップ４０２とステップ４０３は、具体的に次の通りである。
【００３６】
ステップ４０２では、基地局は、ユーザ端末へ、上記アップリンク制御チャンネル資源集合における全部の資源元素情報、即ち１つの資源元素情報を含む配置シグナリングを送信する。
【００３７】
ステップ４０３では、ユーザ端末は、基地局から送信された配置シグナリングを読み取り、配置シグナリングにおけるアップリンク制御チャンネル資源集合に１つのみの資源元素が含まれる場合、フィードバック待機ダウンリンク・サブフレームのＰＤＣＣＨを検出し、送信ダイバーシティのＡＣＫ/ＮＡＣフィードバックを行うアップリンク・サブフレームにおいて、フィードバック待機ダウンリンク・サブフレームにおけるＰＤＣＣＨに占用されたＣＣＥに対応するアップリンク制御チャンネル資源が２つのアンテナポートにより送信ダイバーシティを行うことに十分であるか否かを確定し、検出結果によって前記アップリンク制御チャンネル資源集合におけるチャンネル資源を利用してＡＣＫ/ＮＡＣＫフィードバックを行うかどうかを確定する。
【００３８】
ステップ４０３は、２種類の状況があり、具体的に次の通りである。
【００３９】
〈状況１〉
基地局側は、フィードバック待機ダウンリンク・サブフレームにおけるＰＤＣＣＨに基づき、送信ダイバーシティのＡＣＫ/ＮＡＣフィードバックを行うアップリンク・サブフレームにおいて、フィードバック待機ダウンリンク・サブフレームにおけるＰＤＣＣＨに占用されたＣＣＥに対応するアップリンク制御チャンネル資源が復数のアンテナポートにより送信ダイバーシティを行うことに十分であることを確定すると、フィードバック待機ダウンリンク・サブフレームにおける制御領域ＣＣＥに対応するアップリンク制御資源からユーザ端末の複数のアンテナポートのＡＣＫ/ＮＡＣＫフィードバックを受信することを確定する。
この場合に、基地局は、ＰＤＣＣＨを介し、ユーザ端末が高位層割当がなされたアップリンク制御チャンネル資源集合における資源をフィードバックチャンネルとして利用しないことを指示する。
【００４０】
ユーザ端末は、フィードバック待機ダウンリンク・サブフレームのＰＤＣＣＨを検出することにより、送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が複数のアンテナポートにより送信ダイバーシティを行うことに十分であることを確定すると、ＵＥは送信ダイバーシティを行う複数のアンテナポートが上記フィードバック待機ダウンリンクキャリアまたはダウンリンク・サブフレームにおける制御領域ＣＣＥに対応するアップリンク制御資源をＡＣＫ/ＮＡＣＫフィードバックのためのフィードバックチャンネルとして利用する。
【００４１】
例えば、２つのアンテナポートのユーザ端末は、フィードバック待機ダウンリンク・サブフレームにおけるＰＤＣＣＨを検出することにより、送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が２つのアンテナポートにより送信ダイバーシティを行うことに十分であることを確定すると、ＵＥは送信ダイバーシティを行う２つのアンテナポートが上記フィードバック待機ダウンリンクキャリアまたはダウンリンク・サブフレームにおける制御領域ＣＣＥに対応するアップリンク制御資源をＡＣＫ/ＮＡＣＫフィードバックのためのフィードバックチャンネルとして利用する。
【００４２】
〈状況２〉
基地局側は、フィードバック待機ダウンリンク・サブフレームにおけるＰＤＣＣＨにより、送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が２つのアンテナポートにより送信ダイバーシティを行うことに不十分であることを確定すると、アップリンク制御チャンネル資源集合におけるチャンネル資源とフィードバック待機ダウンリンク・サブフレームにおけるＰＤＣＣＨに占用されたＣＣＥに対応するアップリンク制御資源からユーザ端末の２つのアンテナポートのＡＣＫ/ＮＡＣＫフィードバックを受信することを確定する。
そうすると、基地局は、アップリンク制御チャンネル資源集合から選定し、ダウンリンク・サブフレームのＰＤＣＣＨを介して選出した資源元素に対応するチャンネル資源番号をユーザ端末へ送信するとともに、ユーザ端末がダウンリンク・サブフレームにおける制御領域ＣＣＥに対応するアップリンク制御資源をＡＣＫ/ＮＡＣＫフィードバックのためのフィードバックチャンネルとして用いることができることを示す。
【００４３】
ユーザ端末は、フィードバック待機ダウンリンク・サブフレームのＰＤＣＣＨを検出することにより、送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が複数のアンテナポートにより送信ダイバーシティを行うことに不十分であることを確定すると、ＵＥは送信ダイバーシティを行う複数のアンテナポートにおいて、既設されたＭつのアンテナポートが前述のアップリンク制御チャンネル資源集合におけるチャンネル資源をＡＣＫ/ＡＮＣＫフィードバックのためのフィードバックチャンネルとして用い、残りのアンテナポートが上述のフィードバック待機ダウンリンクキャリアまたはダウンリンク・サブフレームにおける制御領域ＣＣＥに対応するアップリンク制御資源をＡＣＫ/ＮＡＣＫフィードバックのためのフィードバックチャンネルとして用いる。
【００４４】
例えば、２つのアンテナポートのユーザ端末は、フィードバック待機ダウンリンク・サブフレームのＰＤＣＣＨを検出することにより、送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が２つのアンテナポートにより送信ダイバーシティを行うことに不十分であることを確定すると、ＵＥは送信ダイバーシティを行う２つのアンテナポートにおいて、既設された１つのアンテナポートは前述のアップリンク制御チャンネル資源集合におけるチャンネル資源をＡＣＫ/ＮＡＣＫフィードバックにのためのフィードバックチャンネルとして用い、他の１つのアンテナポートは上述のフィードバック待機ダウンリンクキャリアまたはダウンリンク・サブフレームにおける制御領域ＣＣＥに対応するアップリンク制御資源をＡＣＫ/ＮＡＣＫフィードバックのためのフィードバックチャンネルとして用いる。
【００４５】
上述の方法によれば、具体的な基地局とユーザ端末による実施プロセスは、次の通りである。
【００４６】
図７に示すように、本発明の実施例１が提供する方法を採用する。
前述のアップリンク制御チャンネル資源集合に複数の資源元素が含まれる場合、基地局側による実施プロセスは、具体的に以下のステップ７０１、７０２を含んでいる。
【００４７】
ステップ７０１では、高位層ＲＲＣシグナリングにより固定的にユーザ端末へ１つのアップリンク制御チャンネル資源集合を割り当て、当該集合にＮ個の資源元素があり、Ｎは１以上の整数であり、ＡＣＫ/ＮＡＣＫフィードバックに利用されるＮつのチャンネル資源または資源グループに対応する。
当該集合における資源元素は複数のユーザ端末に共有されてよいため、基地局は、スケジューリングすることにより同一のチャンネル資源を利用するユーザ側が分散フィードバックをすることができ、チャンネル資源衝突問題を避けるようになる。
【００４８】
上述のアップリンク制御チャンネル資源集合における資源性質が半静的に配置された資源であり、シグナリングにより当該アップリンク制御チャンネル資源集合における資源を配置する。
【００４９】
ステップ７０２では、送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が複数のアンテナポートにより送信ダイバーシティを行うことに十分であるかどうかを判定して、判定結果によって、ユーザ端末が前記アップリンク制御チャンネル資源集合におけるチャンネル資源を利用しＡＣＫ/ＮＡＣＫフィードバックを行うかどうかおよびＡＣＫ/ＮＡＣＫフィードバックに利用される上述のチャンネル資源のチャンネル資源番号を標識するための利用可能な資源の識別子をＰＤＣＣＨに追加する。
【００５０】
ここで、利用可能な資源の識別子を設置する具体的な状況は、以下の通りである。
【００５１】
〈状況１〉
送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が２つのアンテナポートにより送信ダイバーシティを行うことに十分であり、即ちフィードバック待機ダウンリンク・サブフレームにおける、当該ユーザ端末ＰＤＳＣＨをスケジューリングするＰＤＣＣＨのＣＣＥまたはＳＰＳ資源解放を指示するＰＤＣＣＨのＣＣＥのアグレゲーション・レベルルはユーザ端末のアンテナポートの数以上である。
この場合に基地局は、ＰＤＣＣＨにより、高位層割当がなされたアップリンク制御チャンネル資源集合における資源をフィードバックチャンネルとして利用しないことをユーザ端末に知らせる。
当該ＰＤＣＣＨシグナリングの通知方法としては、全てのＰＤＣＣＨに搬送されたＤＣＩフォーマットに[ｌｏｇ２（Ｎ＋１）]ビットのシグナリングを新しく追加してもよいし、前述したＮ＋１個のシグナリング状態とＲｅｌ-８の従来のＤＣＩフォーマットにおける他のシグナリングを合併してコーディングしてもよいし、ひいては従来のＤＣＩフォーマットにおけるシグナリングを再利用し前述したＮ＋１個の資源元素のシグナリング状態を示してもよい。
全てのＰＤＣＣＨに載せられたＤＣＩフォーマットに[ｌｏｇ２（Ｎ＋１）]ビットのシグナリングを新しく追加すると、[ｌｏｇ２（Ｎ＋１）]ビットを全零にすることができ、高位層割当がなされた資源集合における資源元素を利用しないことを示す。
【００５２】
〈状況２〉
送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が複数のアンテナポートにより送信ダイバーシティを行うことに不十分であり、即ちフィードバック待機ダウンリンク・サブフレームにおける、当該ユーザ端末ＰＤＳＣＨをスケジューリングするＰＤＣＣＨのＣＣＥまたはＳＰＳ資源解放を指示するＰＤＣＣＨのＣＣＥのアグレゲーション・レベルルはユーザ端末のアンテナポートの数より大きくない。
この場合に、基地局は、当該ユーザ端末へ割り当てられたアップリンク制御チャンネル資源集合からＭ個の資源元素をＭ個のアンテナポートのＡＣＫ/ＮＡＣＫフィードバックのためのフィードバックチャンネルとして選定し、かつＰＤＣＣＨのシグナリングにより当該Ｍ個の資源元素のチャンネル資源番号をユーザ端末に指示するとともに、ユーザ端末がダウンリンク・サブフレームにおける制御領域ＣＣＥに対応するアップリンク制御資源をＡＣＫ/ＮＡＣＫフィードバックのためのフィードバックチャンネルとして用いることができることを指示する。
当該ＰＤＣＣＨシグナリングの通知方法としては、全てのＰＤＣＣＨに載せられたＤＣＩフォーマットに[ｌｏｇ２（Ｎ＋１）]ビットのシグナリングを新しく追加してもよいし、上述したＮ＋１個のシグナリング状態とＲｅｌ-８の従来のＤＣＩフォーマットにおける他のシグナリングを合併してコーディングしてもよいし、ひいては従来のＤＣＩフォーマットにおけるシグナリングを再利用し前述したＮ＋１つの資源元素のシグナリング状態を示すしてもよい。
全てのＰＤＣＣＨに載せられたＤＣＩフォーマットに[ｌｏｇ２（Ｎ＋１）]ビットのシグナリングを新しく追加すると、基地局は、当該[ｌｏｇ２（Ｎ＋１）]ビットで選用たチャンネルのチャンネル資源番号（番号は１からの順番である）を指示し、例えばＮ＝７の場合、「００１」で当該ダウンリンクキャリアにおけるＰＤＳＣＨのＡＣＫ/ＮＡＣＫフィードバックに高位層割当がなされた資源集合における１番目のチャンネル資源を、フィードバック情報を載せるフィードバックチャンネルとして利用することをユーザ端末に知らせることができる。
【００５３】
また、前述のアップリンク制御チャンネル資源集合に１つのみの資源元素が含まれる場合、基地局が前記ユーザ端末へ送信した配置シグナリングは、アップリンク制御チャンネル資源集合における全部のチャンネル資源元素の情報、即ち１つものの資源元素の情報を含んでいる。
【００５４】
そして、ユーザ端末自体は、フィードバック待機ダウンリンク・サブフレームのＰＤＣＣＨを検出して、送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が複数のアンテナポートにより送信ダイバーシティを行うことに十分であるかどうかを確定し、検出結果によって、前述のアップリンク制御チャンネル資源集合におけるチャンネル資源を利用しＡＣＫ/ＡＮＣＫフィードバックを行うかどうかを確定する。
【００５５】
図８に示すように、本発明の実施例１が提供する方法を採用し、アップリンク制御チャンネル資源集合に少なくとも１つのチャンネル資源元素が含まれる場合、ユーザ端末による実施プロセスは、具体的に以下のステップ８０１、８０２を含んでいる。
【００５６】
ステップ８０１では、高位層割当シグナリングを読み取って、アップリンク制御チャンネル資源集合を知る。
【００５７】
ステップ８０２では、フィードバック待機ダウンリンク・サブフレームのＰＤＣＣＨにより、アップリンク制御チャンネル資源集合における資源元素を用いるかどうかを確定する。
【００５８】
全てのＰＤＣＣＨに載せられたＤＣＩフォーマットに[ｌｏｇ２（Ｎ＋１）]ビットのシグナリングを新しく追加し、ユーザ端末が全零ビット状態を検出した場合、高位層割当がなされた資源集合における資源元素をフィードバックチャンネルとして用いる必要がないことを示す。
他のビット状態を検出する場合、高位層割当となった資源集合における資源元素をフィードバックチャンネルとして利用する必要があることを示す。
ユーザ端末は、検出したＰＤＣＣＨにより、以下の２種類の情況を判定する。
【００５９】
アップリンク制御チャンネル資源集合における資源元素を利用しない場合、ユーザ端末は、当該フィードバック待機ダウンリンク・サブフレームにおけるＰＤＣＣＨの既設された複数のＣＣＥの指示により、各アンテナポートのＡＣＫ/ＮＡＣＫフィードバックのためのフィードバックチャンネル資源番号を取得する。
【００６０】
アップリンク制御チャンネル資源集合における資源元素を利用場合、アップリンク制御チャンネル資源集合における資源元素により、Ｍ個の既設されたアンテナポートのＡＣＫ/ＮＡＣＫフィードバックのためのチャンネル資源番号（当該番号がアップリンク制御チャンネル資源集合の範囲にある）を取得するが、残りのアンテナポートに対応するフィードバックチャンネルは、当該フィードバック待機ダウンリンク・サブフレームにおけるＰＤＣＣＨの既設されたＣＣＥにより確定される。
【００６１】
ステップ８０３では、ＰＤＣＣＨを受信し、デコードしてＡＣＫ/ＮＡＣＫフィードバック情報を取得する。
【００６２】
ステップ８０４では、ステップ８０２で確定したチャンネル資源を介し、２つのアンテナポートにより、ステップ８０３で取得したＡＣＫ/ＮＡＣＫフィードバック情報を送信する。
【００６３】
なお、上述のアップリンク制御チャンネル資源集合に１つのみの資源元素が含まれる場合、当該方法におけるユーザ端末による実施プロセスは、次の通りである。
【００６４】
上述のアップリンク制御チャンネル資源集合に１つのみの資源元素が含まれる場合、基地局は、アップリンク制御チャンネル資源集合における全部のチャンネル資源元素の情報をユーザ端末に送信するだけであり、具体的には、以下に説明する。
ユーザ端末は、基地局から送信された配置シグナリングを読み取り、配置シグナリングに１つのみの資源元素情報が含まれる場合、ＵＥは送信ダイバーシティを行う複数のアンテナポートにおいて、既設されたＭ個のアンテナポートが前述のアップリンク制御チャンネル資源集合におけるチャンネル資源をＡＣＫ/ＮＡＣＫフィードバックのためのフィードバックチャンネルとして利用し、残りのアンテナポートは上述のフィードバック待機ダウンリンクキャリアまたはダウンリンク・サブフレームにおける制御領域ＣＣＥに対応するアップリンク制御資源をＡＣＫ/ＮＡＣＫフィードバックのためのフィードバックチャンネルとして用いる。
【００６５】
例えば、ユーザ端末に２つのアンテナポートがある場合、ユーザ端末は、フィードバック待機ダウンリンク・サブフレームの制御領域を検出することにより、送信ダイバーシティのＡＣＫ/ＮＡＣＫフィードバックを行うアップリンク・サブフレームにおいて、フィードバック待機ダウンリンク・サブフレームの制御領域ＣＣＥに対応するアップリンク制御チャンネル資源が２つのアンテナポートにより送信ダイバーシティを行うことに不十分であることを確定すると、ＵＥは送信ダイバーシティを行う２つのアンテナポートにおいて、既設された１つのアンテナポートが前述のアップリンク制御チャンネル資源集合におけるチャンネル資源をＡＣＫ/ＮＡＣＫフィードバックのためのフィードバックチャンネルとして利用し、他の１つのアンテナポートは上述のフィードバック待機ダウンリンク・サブフレームにおける制御領域ＣＣＥに対応するアップリンク制御資源をＡＣＫ/ＮＡＣＫフィードバックのためのフィードバックチャンネルとして利用する。
【００６６】
<実施例２>
フィードバック待機ダウンリンク・サブフレームにおけるＰＤＣＣＨに当該ユーザ端末ＰＵＳＣＨをスケジューリングするＰＤＣＣＨが含まれる場合、複数のアンテナポートで送信ダイバーシティ伝送を行う。当該方法は、具体的に以下に説明する。
システムにおいて、基地局はユーザ端末へ１つのアップリンク制御チャンネル資源集合を半静的に割当し、高位層シグナリングによりユーザ端末へ指示し、当該集合にＮ個の資源元素がある。
Ｎは１以上の整数であり、Ｎ個のＡＣＫ/ＮＡＣＫフィードバックのためのチャンネル資源または資源グループ番号に対応する。
当該集合におけるチャンネル資源元素が複数のユーザ端末に共有されるため、基地局は、ジューリングすることにより同一のチャンネル資源を利用するユーザ端末が分散フィードバックするようにし、チャンネル資源衝突問題を避ける。
【００６７】
送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が複数のアンテナポートにより送信ダイバーシティを行うことに十分であり、即ちフィードバック待機ダウンリンク・サブフレームにおける、当該ユーザ端末に対応するＣＣＥの数がアンテナポート数以上であると、これらのＣＣＥは、当該ユーザ端末ＰＤＳＣＨをスケジューリングするＰＤＣＣＨにおけるＣＣＥまたはＳＰＳ資源解放を指示するＰＤＣＣＨにおけるＣＣＥを含むだけではなく、当該ユーザ端末のＰＵＳＣＨをスケジューリングするＰＤＣＣＨにおけるＣＣＥも含んでいる。
この場合に、複数のアンテナポートがＡＣＫ/ＮＡＣＫフィードバックのためのチャンネル資源番号は、当該ユーザ端末に対応するＣＣＥにより得られる。
この場合に、高位層割当がなされたアップリンク制御チャンネル資源集合におけるいずれかの資源元素を利用する必要はなくなり、基地局は、ＰＤＣＣＨにより、高位層割当となった集合におけるチャンネル資源元素を利用しないことをユーザ端末に知らせる。
当該ＰＤＣＣＨシグナリングの通知方法としては、全てのＰＤＣＣＨに搬送されたＤＣＩフォーマットに[ｌｏｇ２（Ｎ＋１）]ビットのシグナリングを新しく追加してもよいし、前述したＮ＋１個のシグナリング状態とＲｅｌ-８の従来のＤＣＩフォーマットにおける他のシグナリングを合併してコーディングしてもよい、ひいては従来のＤＣＩフォーマットにおけるシグナリングを再利用し前述したＮ＋１個の資源元素のシグナリング状態を示すことであってもよい。
【００６８】
ここで、当該Ｎ＋１個のシグナリング状態において、Ｎ個の状態が前述のアップリンク制御チャンネル資源集合における、前述のユーザ端末がＡＣＫ/ＮＡＣＫフィードバックのためのチャンネル資源番号を標識し、他の１つの状態が、ユーザ端末が２つのアンテナポートによる送信ダイバーシティのＡＣＫ/ＮＡＣＫフィードバックを行う場合、２つのアンテナポートのいずれもアップリンク制御チャンネル資源集合におけるチャンネル資源を利用してＡＣＫ/ＮＡＣＫフィードバックを行わない。
【００６９】
送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が複数のアンテナポートにより送信ダイバーシティを行うことに十分ではない。
即ち、フィードバック待機ダウンリンク・サブフレームにおける、当該ユーザ端末に対応するＣＣＥの数がアンテナポートの数より大きくない。
これらのＣＣＥは、当該ユーザ端末ＰＤＳＣＨをスケジューリングするまたはＳＰＳ資源解放を指示するＰＤＣＣＨにおけるＣＣＥを含むだけではなく、当該ユーザ端末ＰＵＳＣＨをスケジューリングするＰＤＣＣＨにおけるＣＣＥも含む。
この場合に、既設されたＭ個のアンテナポートに用いられるフィードバックチャンネルは、依然として当該ユーザ端末に対応するＣＣＥにより得られるが、残りのアンテナポートに用いられるフィードバックチャンネルは、高位層割当がなされたアップリンク制御チャンネル資源集合から１つのフィードバックチャンネル資源元素を選定する必要がある。
基地局は、ＰＤＣＣＨを介し、当該集合に具体的に用いられたチャンネル資源番号をユーザ端末に知らせる。
当該ＰＤＣＣＨシグナリングの通知方法としては、全てのＰＤＣＣＨに載せられたＤＣＩフォーマットに[ｌｏｇ２（Ｎ＋１）]ビットのシグナリングを新しく追加してもよいし、上述したＮ＋１個のシグナリング状態とＲｅｌ-８の従来のＤＣＩフォーマットにおける他のシグナリングを合併してコーディングしてもよく、ひいては従来のＤＣＩフォーマットにおけるシグナリングを再利用し前述したＮ＋１つの資源元素のシグナリング状態を示してもよい。
【００７０】
実施例２に記載の方法によれば、基地局に実施プロセスは、具体的に以下のステップ１、２を含んでいる。
【００７１】
ステップ１では、高位層シグナリングＲＲＣにより固定的にユーザ端末へ１つのアップリンク制御チャンネル資源集合を割り当て、当該集合にＮ個の元素があり、ＡＣＫ/ＮＡＣＫフィードバックのためのＮ個のチャンネル資源または資源グループに対応する。当該セットにおける資源元素が複数のユーザ端末に共有されてもよいため、基地局は、スケジューリングすることにより、同一のチャンネル資源を利用するユーザ端末が分散フィードバックするようにし、チャンネル資源衝突問題を避けることができる。
【００７２】
ステップ２では、送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が複数のアンテナポートにより送信ダイバーシティを行うことに十分であるかどうかを判定し、判定結果によって、ＰＤＣＣＨに利用可能な資源の識別子を追加する。
【００７３】
送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が複数のアンテナポートにより送信ダイバーシティを行うことに十分であり、即ち、フィードバック待機ダウンリンク・サブフレームにおける、当該ユーザ端末に対応するＣＣＥの数がユーザ端末のアンテナポートの数以上である（これらのＣＣＥは、当該ユーザ端末ＰＤＳＣＨをスケジューリングするＰＤＣＣＨにおけるＣＣＥ、または、ＳＰＳ資源解放を指示するＰＤＣＣＨにおけるＣＣＥを含むだけではなく、当該ユーザ端末ＰＵＳＣＨをスケジューリングするＰＤＣＣＨにおけるＣＣＥも含む）。
この場合に、基地局は、ＰＤＣＣＨにより、高位層割当がなされたアップリンク制御チャンネル資源集合における資源をフィードバックチャンネルとして利用しないことをユーザ端末に知らせる。
当該ＰＤＣＣＨシグナリングの通知方法は、全てのＰＤＣＣＨに載せられたＤＣＩフォーマットに[ｌｏｇ２（Ｎ＋１）]ビットのシグナリングを新しく追加してもよいし、前述したＮ＋１個のシグナリング状態とＲｅｌ-８の従来のＤＣＩフォーマットにおける他のシグナリングを合併してこーデングしてもよく、ひいては従来のＤＣＩフォーマットにおけるシグナリングを再利用し前述したＮ＋１つの資源元素のシグナリング状態を示してもよい。
全てのＰＤＣＣＨに載せられたＤＣＩフォーマットに[ｌｏｇ２（Ｎ＋１）]ビットのシグナリングを新しく追加すると、[ｌｏｇ２（Ｎ＋１）]ビットを全零にすることができ、高位層割当がなされた資源集合における資源元素を利用しないことを示す。
【００７４】
送信ダイバーシティのＡＣＫ/ＮＡＣＫフィードバックを行うアップリンク・サブフレームにおいて、フィードバック待機ダウンリンク・サブフレームにおけるＰＤＣＣＨに占用されたＣＣＥに対応するアップリンク制御チャンネル資源が２つのアンテナポートにより送信ダイバーシティを行うことに不十分である。
即ち、フィードバック待機ダウンリンク・サブフレームにおける、当該ユーザ端末に対応するＣＣＥの数がユーザ端末のアンテナポートの数より大きくない（これらのＣＣＥは、当該ユーザ端末ＰＤＳＣＨをスケジューリングするＰＤＣＣＨにおけるＣＣＥ、または、ＳＰＳ資源解放を指示するＰＤＣＣＨにおけるＣＣＥを含むだけではなく、当該ユー端末ＰＵＳＣＨをスケジューリングするＰＤＣＣＨにおけるＣＣＥも含む）。
この場合に、基地局は、当該ユーザ端末へ割り当てられたアップリンク制御チャンネル資源集合からＭ個の資源元素を既設さたアンテナポートによるＡＣＫ/ＮＡＣＫフィードバックのためのフィードバックチャンネルとして選択し、かつＰＤＣＣＨのシグナリングにより当該チャンネル資源番号をユーザ端末に指示する。
当該ＰＤＣＣＨシグナリングの通知方法としは、全てのＰＤＣＣＨに載せられたＤＣＩフォーマットに[ｌｏｇ２（Ｎ＋１）]ビットのシグナリングを新しく追加してもよいし、上述したＮ＋１個のシグナリング状態とＲｅｌ-８の従来のＤＣＩフォーマットにおける他のシグナリングを合併してコーディングしてもよく、ひいては従来のＤＣＩフォーマットにおけるシグナリングを再利用し上述したＮ＋１個の資源元素のシグナリング状態を示してもよい。
全てのＰＤＣＣＨに載せられたＤＣＩフォーマットに[ｌｏｇ２（Ｎ＋１）]ビットのシグナリングを新しく追加すると、基地局は、この[ｌｏｇ２（Ｎ＋１）]ビットで選定したチャンネルのチャンネル資源番号（番号が１からの順位である）を指示すると、例えばＮ=７の場合、「００１」で当該ダウンリンクキャリアにおけるＰＤＳＣＨのＡＣＫ/ＮＡＣＫフィードバックに高位層割当がなされた資源集合における１番目のチャンネル資源を、フィードバック情報を載せるフィードバックチャンネルとして利用することをユーザ端末に知らせることができる。
【００７５】
実施例２に記載の方法によれば、２つのアンテナポートのユーザ端末を例にすると、ユーザ端末側による処理プロセスは、具体的に以下のステップを含む。
【００７６】
ステップ１では、高位層配置シグナリングを読み取って、アップリンク制御チャンネル資源集合を獲得する。
【００７７】
ステップ２では、フィードバック待機ダウンリンク・サブフレームのＰＤＣＣＨを検出し、アップリンク制御チャンネル資源集合における資源元素を利用するかどうかを確定し、例えば全てのＰＤＣＣＨに載せられたＤＣＩフォーマットに[ｌｏｇ２（Ｎ＋１）]ビットのシグナリングを新しく追加すると、ユーザ端末が全零ビット状態を検出した場合、高位層割当がなされた資源集合における資源元素をフィードバックチャンネルとして利用する必要がないことを示す。
他のビット状態を検出すると、高位層割当がなされた資源集合における資源元素をフィードバックチャンネルとして用いる必要があることを示す。
ユーザ端末は、検出したＰＤＣＣＨにより、以下の２種類の状況を判定する。
【００７８】
〈状況１〉
アップリンク制御チャンネル資源集合における資源元素を利用しない。
この場合に、ユーザ端末は、当該フィードバック待機ダウンリンク・サブフレームにおける、当該ユーザ端末により既定された２つのＣＣＥ（当該ユーザ端末ＰＤＳＣＨをスケジューリングするＰＤＣＣＨにおけるＣＣＥまたはＳＰＳ資源解放を指示するＰＤＣＣＨにおけるＣＣＥを含むだけではなく、当該ユーザ端末ＰＵＳＣＨをスケジューリングするＰＤＣＣＨにおけるＣＣＥも含む）の指示によって、２つのアンテナポートによるＡＣＫ/ＮＡＣＫフィードバックのためのフィードバックチャンネル資源番号を取得する。
【００７９】
〈状況２〉
アップリンク制御チャンネル資源集合における資源元素を利用する。
この場合に、ＰＤＣＣＨの指示によって、その中の１つのアンテナポートによるＡＣＫ/ＮＡＣＫフィードバックにのためのチャンネル資源番号（当該番号はアップリンク制御チャンネル資源集合の範囲にある）を取得するが、他の１つのアンテナポートに対応するフィードバックチャンネルは、当該フィードバック待機ダウンリンクキャリアまたはダウンリンク・サブフレームにおける、当該ユーザ端末に既定された１つのＣＣＥ（当該ユーザ端末ＰＤＳＣＨをスケジューリングするＰＤＣＣＨにおけるＣＣＥ、または、ＳＰＳ資源解放を指示するＰＤＣＣＨにおけるＣＣＥを含むだけではなく、当該ユーザ端末ＰＤＳＣＨをスケジューリングするＰＤＣＣＨにおけるＣＣＥを含む）の指示によって確定される。
【００８０】
ステップ３では、ＰＤＣＣＨを受信し、デコードしてＡＣＫ/ＮＡＣＫフィードバック情報を取得する。
【００８１】
ステップ４では、ステップ２で確定したチャンネル資源において２つのアンテナポートを利用し、ステップ３で取得したＡＣＫ/ＮＡＣＫフィードバック情報を送信する。
【００８２】
上述した実施例２に記載の方法にも、アップリンク制御チャンネル資源集合の資源元素の数が１つのみおよび少なくとも２つであるという２種類の状況が存在する。
当該実施例におけるユーザ端末と基地局による実施プロセスは、実施例１と完全に同じであるため、ここで繰り返して説明しないことにする。
【００８３】
図９に示すように、本発明の実施例が提供する資源配置装置は、基地局などのネットワーク設備であってもよく、割り当てモジュール９０１と送信モジュール９０２とを備えている。
割り当てモジュール９０１は、ユーザ端末がＡＣＫ/ＮＡＣＫフィードバックを行うことに利用されるアップリンク制御チャンネル資源を確定する。
送信モジュール９０２は、ユーザ端末がＡＣＫ/ＮＡＣＫフィードバックを行うことに利用されるアップリンクチャンネル制御資源を指示する配置シグナリングをユーザ端末へ送信する。
上述のアップリンク制御チャンネル資源は、アップリンク制御チャンネル資源集合におけるチャンネル資源および/またはフィードバック待機ダウンリンク制御チャンネルに占用されたＣＣＥに対応するアップリンク制御チャンネル資源を含んでいる。
ここで、アップリンク制御チャンネル資源集合に１つまたは複数のＡＣＫ/ＮＡＣＫフィードバックのためのチャンネル資源元素が含まれている。
【００８４】
図１０に示すように、本発明の実施例は資源配置装置をさらに提供する。
当該配置装置は、ユーザ端末などの設備であってもよく、読取モジュール１００１とフィードバック情報確定モジュール１００２とを備えている。
読取モジュール１００１は、基地局から送信された配置シグナリングを受信する。
フィードバック情報確定モジュール１００２は、基地局から送信された配置シグナリングによって、対応するチャンネル資源を利用しＡＣＫ/ＮＡＣＫフィードバックを行う。
上述の配置シグナリングは、基地局が上記既設されたアップリンク制御チャンネル資源集合に含まれるチャンネル資源元素の状況および/またはフィードバック待機ダウンリンク制御チャンネルに占用されたＣＣＥに対応するアップリンク制御チャンネル資源の数によって確定されれたものである。
ここで、アップリンク制御チャンネル資源集合に１つまたは複数のＡＣＫ/ＮＡＣＫフィードバックのためのチャンネル資源元素が含まれる。
【００８５】
本発明は、動的と半静的に合わせた資源配分方式を提供し、方法が簡単で、実施しやすく、同時にＤＤＦＤＤおよびＴＤＤシステムに適用できる。
送信ダイバーシティを用いたＰＵＣＣＨ伝送に対し、本発明が提供する方法もユーザ端末に対応するダウンリンク制御チャンネル（ＰＤＣＣＨ）のＣＣＥアグレゲーション・レベルルに対する制限を解除でき、送信ダイバーシティゲインによりシステムの信頼性を向上させるとともに、システムの柔軟性を確保しながら複雑度を低減させ、かつ、ＬＥＴ  Ｒｅｌｅａｓｅ  ８システムと交換することができる。
【００８６】
本分野の当業者は、本発明の実施例が方法、システムまたはコンピュータプログラム製品として提供されることができると理解すべきである。
そのため、本発明は、完全なハードウエア実施例、完全なソフトウェア実施例、またはソフトウェアとハードウエア方面を合わせる実施例の形態を採用することができる。
しかも、本発明は、コンピュータで使用可能なプログラムコードを含む１つまたは複数のコンピュータで使用可能な記憶媒体（磁気ディスクメモリ、ＣＤ-ＲＯＭ、光メモリーなどを含むが、これらに限られない）で実施されたコンピュータプログラム製品の形態を採用することができる。
【００８７】
本発明は、本発明の実施例による方法、設備（システム）とコンピュータプログラム製品のフローチャートと/またはブロック図を参照して説明されるものである。
コンピュータプログラム命令によりフローチャートと/またはブロック図における各フローと/ブロック、およびフローチャートと/またはブロック図におけるフローと/またはブロックの組み合わせを実現することができると理解すべきである。
これらのコンピュータプログラム命令を汎用コンピュータ、専用コンピュータ、組み込み型処理装置または他のプログラミング可能なデータ処理設備のプロセッサーに提供して１つの機器を発生することができ、これによって、コンピュータまたは他のプログラミング可能なデータ処理設備のプロセッサーに実行された命令により、フローチャートにおける１つのフローまたは複数のフローと/またはブロック図における１つのブロックまたは複数のブロックに指定された機能を実現するための装置を発生する。
【００８８】
これらのコンピュータプログラム命令は、コンピュータまたは他のプログラミング可能なデータ処理設備が特定の方式で動作するように案内できるコンピュータ可読メモリに記憶されてもよく、これによって、当該コンピュータ可読メモリに記憶された命令により命令装置を含む製品を発生し、当該命令装置がフローチャートにおける１つのフローまたは複数のフローと/またはブロック図における１つのブロックまたは複数のブロックに指定された機能を実現する。
【００８９】
これらのコンピュータプログラム命令は、コンピュータまたは他のプログラミング可能なデータ処理設備にロードされてもよく、これによって、コンピュータまたは他のプログラミング可能なデータ処理設備で一連の操作ステップを実行してコンピュータによる処理を発生して、これによりコンピュータまたは他のプログラミング可能なデータ処理設備で実行された命令がフローチャートにおける１つのフローまたは複数のフローと/またはブロック図における１つのブロックまたは複数のブロックに指定された機能を実現するためのステップを提供する。
【００９０】
本発明の好ましい実施例を説明したが、本分野の当業者は、いったん基本的な創造性概念を知ったら、これらの実施例に対して他の変更と修正を行うことができる。そのため、付け加えた特許請求は、好ましい実施例および本発明の範囲に入る全ての変更と修正を含むように解釈しようとする。
【００９１】
無論、当業者により、上述した実施形態に記述された技術的な解決手段を改造し、又はその中の一部の技術要素を置換することもできる。
そのような改造と置換は本発明の各実施形態の技術の範囲から逸脱するとは見なされない。
【図１】
0005433792.tif 000002
【図２】
0005433792.tif 000003
【図３】
0005433792.tif 000004
【図４】
0005433792.tif 000005
【図５】
0005433792.tif 000006
【図６】
0005433792.tif 000007
【図７】
0005433792.tif 000008
【図８】
0005433792.tif 000009
【図９】
0005433792.tif 000010
【図１０】
0005433792.tif 000011